(57)【要約】  ＰＷＭ発生回路はバックライトの輝度を制御するために可変のデューティ比を有するＰＷＭパルス信号を発生する。エッジ検出回路は、ＰＷＭ発生回路により発生されたＰＷＭパルス信号の立上りに応答して、立上りエッジ信号を出力する。設定値パルス発生回路は、立上りエッジ信号の立上りに応答して、設定幅パルス信号を発生する。設定幅パルス信号のパルス幅は最小ＰＷＭパルス幅よりも大きくなるように設定される。ＯＲゲートは、設定幅パルス信号とＰＷＭパルス信号とに関する論理和を算出する。インバータ回路は、ＯＲゲートの出力信号に基づいて駆動信号をバックライトに与える。
2007125804.tif 000002
【特許請求の範囲】
【請求項１】
バックライトの輝度を制御するバックライト制御装置であって、
調光パルス信号に応答して前記バックライトを駆動するインバータと、
前記バックライトの輝度を制御するために可変のデューティ比を有する第１のパルス信号を発生する第１のパルス発生器と、
前記第１のパルス発生器により発生される第１のパルス信号に基づいて前記調光パルス信号を前記インバータに出力する調光パルス発生器とを備え、
前記インバータは、前記調光パルス信号が所定の最小パルス幅以上のパルス幅を有する場合に動作可能であり、
前記調光パルス発生器は、前記第１のパルス発生器により発生される第１のパルス信号のパルス幅が前記最小パルス幅以上の場合に前記第１のパルス発生器により発生される第１のパルス信号を前記調光パルス信号として前記インバータに出力し、前記第１のパルス発生器により発生される第１のパルス信号のパルス幅が前記最小パルス幅より小さい場合に前記最小パルス幅以上のパルス幅を有する第２のパルス信号を前記調光パルス信号として前記インバータに出力する、バックライト制御装置。
【請求項２】
前記調光パルス発生器は、
前記第１のパルス発生器により発生される第１のパルス信号に応答して前記第２のパルス信号を発生する第２のパルス発生器と、
前記第１のパルス発生器により発生される第１のパルス信号のパルス幅が前記最小パルス幅以上の場合に前記第１のパルス発生器により発生される第１のパルス信号を前記調光パルス信号として前記インバータに出力し、前記第１のパルス発生器により発生される第１のパルス信号のパルス幅が前記最小パルス幅より小さい場合に前記第２のパルス発生器により発生される第２のパルス信号を前記調光パルス信号として前記インバータに出力する論理回路とを含む、請求項１記載のバックライト制御装置。
【請求項３】
前記第２のパルス発生器は、
前記第１のパルス発生器により発生される第１のパルス信号のエッジを検出するエッジ検出器をさらに含み、
前記第２のパルス発生器は、前記エッジ検出器による検出に応答して前記第２のパルス信号を発生する、請求項２記載のバックライト制御装置。
【請求項４】
前記調光パルス発生器は、電源投入時から所定期間内において１００％のデューティ比を有する信号を前記調光パルス信号として前記インバータに出力する、請求項１記載のバックライト制御装置。
【請求項５】
前記インバータへの電力供給のオンオフを制御する制御部をさらに備え、
前記調光パルス発生器は、
前記第１のパルス発生器により発生される第１のパルス信号に応答して前記最小パルス幅以上のパルス幅を有する第２のパルス信号を発生する第２のパルス発生器と、
前記第１のパルス発生器により発生される第１のパルス信号のパルス幅が前記最小パルス幅以上の場合に前記第１のパルス発生器により発生される第１のパルス信号を出力し、前記第１のパルス発生器により発生される第１のパルス信号のパルス幅が前記最小パルス幅より小さい場合に前記第２のパルス発生器により発生される第２のパルス信号を出力する第１の論理回路と、
前記制御部による電力供給のオン時から所定期間内において１００％のデューティ比を有する拡大パルス信号を発生する第３のパルス発生器と、
前記所定期間内において前記第３のパルス発生器により発生される拡大パルス信号を前記調光パルス信号として前記インバータに出力し、前記所定期間の経過後に前記第１の論理回路の出力信号を前記調光パルス信号として前記インバータに出力する第２の論理回路とを含む、請求項４記載のバックライト制御装置。
【請求項６】
前記バックライトは冷陰極管を含み、
前記バックライトの前記冷陰極管の電流に基づいて前記調光パルス発生器により発生される前記第２のパルス信号のパルス幅を制御する制御部をさらに備える、請求項１記載のバックライト制御装置。
【請求項７】
前記調光パルス発生器は、
前記第１のパルス発生器により発生される第１のパルス信号に応答して前記第２のパルス信号を発生する第２のパルス発生器と、
前記第１のパルス発生器により発生される第１のパルス信号のパルス幅が前記最小パルス幅以上の場合に前記第１のパルス発生器により発生される第１のパルス信号を前記調光パルス信号として前記インバータに出力し、前記第１のパルス発生器により発生される第１のパルス信号のパルス幅が前記最小パルス幅より小さい場合に前記第２のパルス発生器により発生される第２のパルス信号を前記調光パルス信号として前記インバータに出力する論理回路とを含み、
前記制御部は、前記バックライトの前記冷陰極管の電流に基づいて前記第２のパルス発生器により発生される前記第２のパルス信号のパルス幅を制御する、請求項６記載のバックライト制御装置。
【請求項８】
最小パルス幅を記憶する記憶部と、
前記調光パルス発生器により発生される調光パルス信号のデューティ比を漸次減少させ、前記インバータがシャットダウンするときのデューティ比よりも所定値大きいデューティ比に対応するパルス幅を前記最小パルス幅として前記記憶部に記憶させる制御部とをさらに備え、
前記調光パルス発生器は、前記第１のパルス発生器により発生される第１のパルス信号のパルス幅が前記最小パルス幅より小さい場合に前記記憶部に記憶された最小パルス幅を有する前記第２のパルス信号を前記調光パルス信号として出力する、請求項１記載のバックライト制御装置。
【請求項９】
前記インバータにおける電圧を検出する電圧検出器をさらに備え、
前記制御部は、前記電圧検出器により電圧の低下が検出されたときのデューティ比よりも所定値大きいデューティ比に対応するパルス幅を前記最小パルス幅として前記記憶部に記憶させ、
前記調光パルス発生器は、
前記第１のパルス発生器により発生される第１のパルス信号に応答して前記記憶部に記憶される最小パルス幅を有する前記第２のパルス信号を発生する第２のパルス発生器と、
前記第１のパルス発生器により発生される第１のパルス信号のパルス幅が前記最小パルス幅以上の場合に前記第１のパルス発生器により発生される第１のパルス信号を前記調光パルス信号として前記インバータに出力し、前記第１のパルス発生器により発生される第１のパルス信号のパルス幅が前記最小パルス幅より小さい場合に前記第２のパルス発生器により発生される第２のパルス信号を前記調光パルス信号として前記インバータに出力する論理回路を含む、請求項８記載のバックライト制御装置。
【請求項１０】
入力された映像信号を所定の形式に変換する信号処理回路と、
前記信号処理回路により得られた映像信号を画像として表示する表示パネルと、
前記表示パネルの背面に設けられたバックライトと、
前記バックライトの輝度を制御するバックライト制御装置とを備え、
前記バックライト制御装置は、
調光パルス信号に応答して前記バックライトを駆動するインバータと、
前記バックライトの輝度を制御するために可変のデューティ比を有する第１のパルス信号を発生する第１のパルス発生器と、
前記第１のパルス発生器により発生される第１のパルス信号に基づいて前記調光パルス信号を前記インバータに出力する調光パルス発生器とを備え、
前記インバータは、前記調光パルス信号が所定の最小パルス幅以上のパルス幅を有する場合に動作可能であり、
前記調光パルス発生器は、前記第１のパルス発生器により発生される第１のパルス信号のパルス幅が前記最小パルス幅以上の場合に前記第１のパルス発生器により発生される第１のパルス信号を前記調光パルス信号として前記インバータに出力し、前記第１のパルス発生器により発生される第１のパルス信号のパルス幅が前記最小パルス幅より小さい場合に前記最小パルス幅以上のパルス幅を有する第２のパルス信号を前記調光パルス信号として前記インバータに出力する、表示装置。
【請求項１１】
前記表示パネルは液晶表示パネルを含む、請求項１０記載の表示装置。
【発明の詳細な説明】
【技術分野】
【０００１】
本発明は、バックライトの輝度を制御するバックライト制御装置およびそれを備えた表示装置に関する。
【背景技術】
【０００２】
一般に、液晶テレビまたは液晶ディスプレイ装置のように液晶を用いた映像機器では、冷陰極管からなるバックライトの発光により画像が表示される。バックライトを制御および駆動するための駆動信号を生成するためにインバータが用いられる。【０００３】
通常、バックライトの輝度を制御するために、インバータの入力直流電圧または入力直流電流を変化させることにより冷陰極管に流れる電流を変化させる電流または電圧調光方式と、ＰＷＭ（パルス幅変調）パルスにより発振周波数での発光および停止を制御するＰＷＭ調光（バースト調光）方式とがある。【０００４】
電流または電圧調光方式は、インバータから発生するノイズ（可聴音）が小さく安定であるという利点を有するが、調光範囲が狭いという欠点を有する。【０００５】
一方、ＰＷＭ調光方式は、調光範囲が広いという利点を有し、ユーザがバックライトの調整を行う機能等で用いられている（例えば、特許文献１参照）。
【特許文献１】特開平１１-１２６６９６号公報
【発明の開示】
【発明が解決しようとする課題】
【０００６】
昨今、液晶テレビおよび液晶ディスプレイ装置のように液晶表示パネルを有する表示装置においても、映像信号処理系はＬＳＩ（大規模集積回路）で構成されている。また、液晶表示パネルに画像を表示するために必要なスケーリング、輪郭補正、ガンマ補正等のシステムは１チップのＬＳＩで実現されるようになってきた。【０００７】
このようなＬＳＩは、コストメリットを発揮するために種々の周辺回路を内蔵しており、インバータを駆動するＰＷＭパルス信号を発生するＰＷＭ発生回路も内蔵している。【０００８】
しかしながら、１チップのＬＳＩとして構成された汎用のＰＷＭ発生回路の多くは、簡単な構成を有し、ＰＷＭパルス信号のデューティ比を制限するリミッタをハードウェアとして備えていない場合が多い。【０００９】
一方、ＰＷＭパルス信号のデューティ比がある値以下になった場合に強制的にシャットダウンするインバータも多い。【００１０】
通常の使用状態では、インバータがシャットダウンしない最小のパルス幅（以下、最小ＰＷＭパルス幅と称する）をＰＷＭパルス信号のパルス幅が満足するようにマイクロコンピュータ等がデューティ比を制御することも可能である。【００１１】
しかし、例えば電源投入時または入力信号の切り替え時のようにマイクロコンピュータに負荷がかかる遷移状態では、マイクロコンピュータの制御シーケンスにマイクロコンピュータの負荷を考慮することが必要となる。そのため、マイクロコンピュータの制御により常時ＰＷＭパルス信号のパルス幅が最小ＰＷＭパルス幅以上になるようにするためには、設計条件が厳しくなる。【００１２】
本発明の目的は、簡単な構成でインバータをシャットダウンさせることなく安定した状態で動作させることが可能なバックライト制御装置およびそれを備えた表示装置を提供することである。
【課題を解決するための手段】
【００１３】
（１）  本発明の一局面に従うバックライト制御装置は、バックライトの輝度を制御するバックライト制御装置であって、調光パルス信号に応答してバックライトを駆動するインバータと、バックライトの輝度を制御するために可変のデューティ比を有する第１のパルス信号を発生する第１のパルス発生器と、第１のパルス発生器により発生される第１のパルス信号に基づいて調光パルス信号をインバータに出力する調光パルス発生器とを備え、インバータは、調光パルス信号が所定の最小パルス幅以上のパルス幅を有する場合に動作可能であり、調光パルス発生器は、第１のパルス発生器により発生される第１のパルス信号のパルス幅が最小パルス幅以上の場合に第１のパルス発生器により発生される第１のパルス信号を調光パルス信号としてインバータに出力し、第１のパルス発生器により発生される第１のパルス信号のパルス幅が最小パルス幅より小さい場合に最小パルス幅以上のパルス幅を有する第２のパルス信号を調光パルス信号としてインバータに出力するものである。【００１４】
そのバックライト制御装置においては、バックライトの輝度を制御するために可変のデューティ比を有する第１のパルス信号が第１のパルス発生器により発生され、調光パルス発生器により第１のパルス信号に基づいて調光パルス信号がインバータに出力され、調光パルス信号に応答してインバータによりバックライトが駆動される。【００１５】
この場合、インバータは、調光パルス信号が所定の最小パルス幅以上のパルス幅を有する場合に動作可能である。第１のパルス信号のパルス幅が最小パルス幅以上の場合には、調光パルス発生器により第１のパルス信号が調光パルス信号としてインバータに出力される。また、第１のパルス信号のパルス幅が最小パルス幅より小さい場合には、調光パルス発生器により最小パルス幅以上のパルス幅を有する第２のパルス信号が調光パルス信号としてインバータに出力される。【００１６】
それにより、インバータに常時最小パルス幅よりも大きなパルス幅を有する調光パルス信号が与えられる。したがって、簡単な構成でインバータをシャットダウンさせることなく安定した状態で動作させることができる。【００１７】
（２）  調光パルス発生器は、第１のパルス発生器により発生される第１のパルス信号に応答して第２のパルス信号を発生する第２のパルス発生器と、第１のパルス発生器により発生される第１のパルス信号のパルス幅が最小パルス幅以上の場合に第１のパルス発生器により発生される第１のパルス信号を調光パルス信号としてインバータに出力し、第１のパルス発生器により発生される第１のパルス信号のパルス幅が最小パルス幅より小さい場合に第２のパルス発生器により発生される第２のパルス信号を調光パルス信号としてインバータに出力する論理回路とを含んでもよい。【００１８】
この場合、第２のパルス発生器により第１のパルス信号に応答して第２のパルス信号が発生される。第１のパルス信号のパルス幅が最小パルス幅以上の場合には、論理回路により第１のパルス信号が調光パルス信号としてインバータに出力される。また、第１のパルス信号のパルス幅が最小パルス幅より小さい場合には、論理回路により第２のパルス信号が調光パルス信号としてインバータに出力される。【００１９】
それにより、インバータに常時最小パルス幅よりも大きなパルス幅を有する調光パルス信号が与えられる。したがって、より簡単な構成でインバータをシャットダウンさせることなく安定した状態で動作させることができる。【００２０】
（３）  第２のパルス発生器は、第１のパルス発生器により発生される第１のパルス信号のエッジを検出するエッジ検出器をさらに含み、第２のパルス発生器は、エッジ検出器による検出に応答して第２のパルス信号を発生してもよい。【００２１】
この場合、エッジ検出器により第１のパルス信号のエッジが検出され、エッジの検出に応答して第２のパルス発生器により第２のパルス信号が発生される。それにより、簡単な構成で第１のパルス信号のエッジに同期する第２のパルス信号を発生することができる。【００２２】
（４）  調光パルス発生器は、電源投入時から所定期間内において１００％のデューティ比を有する信号を調光パルス信号としてインバータに出力してもよい。【００２３】
この場合、電源投入から所定期間内において調光パルス信号のデューティ比が強制的に１００％に設定される。したがって、インバータに出力される調光パルス信号のパルス幅は最小パルス幅よりも小さくなることがない。その結果、電源投入時にインバータのシャットダウンを確実に防止することができる。【００２４】
（５）  インバータへの電力供給のオンオフを制御する制御部をさらに備え、調光パルス発生器は、第１のパルス発生器により発生される第１のパルス信号に応答して最小パルス幅以上のパルス幅を有する第２のパルス信号を発生する第２のパルス発生器と、第１のパルス発生器により発生される第１のパルス信号のパルス幅が最小パルス幅以上の場合に第１のパルス発生器により発生される第１のパルス信号を出力し、第１のパルス発生器により発生される第１のパルス信号のパルス幅が最小パルス幅より小さい場合に第２のパルス発生器により発生される第２のパルス信号を出力する第１の論理回路と、制御部による電力供給のオン時から所定期間内において１００％のデューティ比を有する拡大パルス信号を発生する第３のパルス発生器と、所定期間内において第３のパルス発生器により発生される拡大パルス信号を調光パルス信号としてインバータに出力し、所定期間の経過後に第１の論理回路の出力信号を調光パルス信号としてインバータに出力する第２の論理回路とを含んでもよい。【００２５】
この場合、第２のパルス発生器により第１のパルス信号に応答して第２のパルス信号が発生される。第１のパルス信号のパルス幅が最小パルス幅以上の場合には、第１の論理回路により第１のパルス信号が出力される。また、第１のパルス信号のパルス幅が最小パルス幅より小さい場合には、第１の論理回路により第２のパルス信号が出力される。制御部による電力供給のオン時から所定期間内においては、第３のパルス発生器により１００％のデューティ比を有する拡大パルス信号が発生される。所定期間内においては、第２の論理回路により拡大パルス信号が調光パルス信号としてインバータに出力される。また、所定期間の経過後には、第２の論理回路により第１の論理回路の出力信号が調光パルス信号としてインバータに出力される。【００２６】
それにより、電源投入から所定期間内において調光パルス信号のデューティ比が強制的に１００％に設定される。したがって、インバータに出力される調光パルス信号のパルス幅は最小パルス幅よりも小さくなることがない。その結果、簡単な構成で電源投入時にインバータのシャットダウンを確実に防止することができる。【００２７】
（６）  バックライトは冷陰極管を含み、バックライトの冷陰極管の電流に基づいて調光パルス発生器により発生される第２のパルス信号のパルス幅を制御する制御部をさらに備えてもよい。【００２８】
この場合、制御部によりバックライトの冷陰極管の電流に基づいて第２のパルス信号のパルス幅が制御される。それにより、インバータの最小パルス幅がバックライトの冷陰極管の電流により変化する場合であっても、インバータに常時最小パルス幅よりも大きなパルス幅を有する調光パルス信号が出力される。その結果、バックライトの輝度が変化しても、インバータをシャットダウンさせることなく安定した状態で動作させることができる。【００２９】
（７）  調光パルス発生器は、第１のパルス発生器により発生される第１のパルス信号に応答して第２のパルス信号を発生する第２のパルス発生器と、第１のパルス発生器により発生される第１のパルス信号のパルス幅が最小パルス幅以上の場合に第１のパルス発生器により発生される第１のパルス信号を調光パルス信号としてインバータに出力し、第１のパルス発生器により発生される第１のパルス信号のパルス幅が最小パルス幅より小さい場合に第２のパルス発生器により発生される第２のパルス信号を調光パルス信号としてインバータに出力する論理回路とを含み、制御部は、バックライトの冷陰極管の電流に基づいて第２のパルス発生器により発生される第２のパルス信号のパルス幅を制御してもよい。【００３０】
この場合、第２のパルス発生器により第１のパルス信号に応答して第２のパルス信号が発生される。第１のパルス信号のパルス幅が最小パルス幅以上の場合には、論理回路により第１のパルス信号が調光パルス信号としてインバータに出力される。また、第１のパルス信号のパルス幅が最小パルス幅より小さい場合には、論理回路により第２のパルス信号が調光パルス信号としてインバータに出力される。ここで、制御部によりバックライトの冷陰極管の電流に基づいて第２のパルス信号のパルス幅が制御される。【００３１】
それにより、インバータの最小パルス幅がバックライトの冷陰極管の電流により変化する場合であっても、インバータに常時最小パルス幅よりも大きなパルス幅を有する調光パルス信号が出力される。その結果、バックライトの輝度が変化しても、簡単な構成でインバータをシャットダウンさせることなく安定した状態で動作させることができる。【００３２】
（８）  最小パルス幅を記憶する記憶部と、調光パルス発生器により発生される調光パルス信号のデューティ比を漸次減少させ、インバータがシャットダウンするときのデューティ比よりも所定値大きいデューティ比に対応するパルス幅を最小パルス幅として記憶部に記憶させる制御部とをさらに備え、調光パルス発生器は、第１のパルス発生器により発生される第１のパルス信号のパルス幅が最小パルス幅より小さい場合に記憶部に記憶された最小パルス幅を有する第２のパルス信号を調光パルス信号として出力してもよい。【００３３】
この場合、制御部により調光パルス信号のデューティ比が漸次減少され、インバータがシャットダウンするときのデューティ比よりも所定値大きいデューティ比に対応するパルス幅が最小パルス幅として記憶部に記憶される。第１のパルス信号のパルス幅が最小パルス幅より小さい場合には、記憶部に記憶された最小パルス幅を有する第２のパルス信号が調光パルス発生器により調光パルス信号として出力される。【００３４】
このようにして、インバータの最小パルス幅にばらつき（個体差）がある場合でも、インバータごとに最小パルス幅よりも大きいという条件を満足しつつより小さいパルス幅を有する調光パルス信号がインバータに出力される。それにより、インバータの特性のばらつき（個体差）に左右されず、より輝度の可変範囲を広くすることができる。したがって、インバータをシャットダウンさせることなく安定した状態で動作させることができるとともに、バックライトの輝度を広い範囲で調整することができる。【００３５】
（９）  バックライト制御装置は、インバータにおける電圧を検出する電圧検出器をさらに備え、制御部は、電圧検出器により電圧の低下が検出されたときのデューティ比よりも所定値大きいデューティ比に対応するパルス幅を最小パルス幅として記憶部に記憶させ、調光パルス発生器は、第１のパルス発生器により発生される第１のパルス信号に応答して記憶部に記憶される最小パルス幅を有する第２のパルス信号を発生する第２のパルス発生器と、第１のパルス発生器により発生される第１のパルス信号のパルス幅が最小パルス幅以上の場合に第１のパルス発生器により発生される第１のパルス信号を調光パルス信号としてインバータに出力し、第１のパルス発生器により発生される第１のパルス信号のパルス幅が最小パルス幅より小さい場合に第２のパルス発生器により発生される第２のパルス信号を調光パルス信号としてインバータに出力する論理回路を含んでもよい。【００３６】
この場合、電圧検出器により電圧の低下が検出されたときのデューティ比よりも所定値大きいデューティ比に対応するパルス幅が最小パルス幅として制御部により記憶部に記憶される。第１のパルス信号に応答して記憶部に記憶される最小パルス幅を有する第２のパルス信号が第２のパルス発生器により発生される。第１のパルス信号のパルス幅が最小パルス幅以上の場合には、論理回路により第１のパルス信号が調光パルス信号としてインバータに出力される。また、第１のパルス信号のパルス幅が最小パルス幅より小さい場合には、論理回路により第２のパルス信号が調光パルス信号としてインバータに出力される。【００３７】
このようにして、インバータの最小パルス幅にばらつき（個体差）がある場合でも、インバータごとに最小パルス幅よりも大きいという条件を満足しつつより小さいパルス幅を有する調光パルス信号がインバータに出力される。それにより、インバータの特性のばらつき（個体差）に左右されず、より輝度の可変範囲を広くすることができる。したがって、簡単な構成でインバータをシャットダウンさせることなく安定した状態で動作させることができるとともに、バックライトの輝度を広い範囲で調整することができる。【００３８】
（１０）  本発明の他の局面に従う表示装置は、入力された映像信号を所定の形式に変換する信号処理回路と、信号処理回路により得られた映像信号を画像として表示する表示パネルと、表示パネルの背面に設けられたバックライトと、バックライトの輝度を制御するバックライト制御装置とを備え、バックライト制御装置は、調光パルス信号に応答してバックライトを駆動するインバータと、バックライトの輝度を制御するために可変のデューティ比を有する第１のパルス信号を発生する第１のパルス発生器と、第１のパルス発生器により発生される第１のパルス信号に基づいて調光パルス信号をインバータに出力する調光パルス発生器とを備え、インバータは、調光パルス信号が所定の最小パルス幅以上のパルス幅を有する場合に動作可能であり、調光パルス発生器は、第１のパルス発生器により発生される第１のパルス信号のパルス幅が最小パルス幅以上の場合に第１のパルス発生器により発生される第１のパルス信号を調光パルス信号としてインバータに出力し、第１のパルス発生器により発生される第１のパルス信号のパルス幅が最小パルス幅より小さい場合に最小パルス幅以上のパルス幅を有する第２のパルス信号を調光パルス信号としてインバータに出力するものである。【００３９】
その表示装置においては、入力された映像信号が信号処理回路により所定の形式に変換される。バックライトにより表示パネルに背面から光が照射されつつ、表示パネルにより映像信号に基づく画像が表示される。バックライトの輝度はバックライト制御装置により調整される。【００４０】
そのバックライト制御装置においては、バックライトの輝度を制御するために可変のデューティ比を有する第１のパルス信号が第１のパルス発生器により発生され、調光パルス発生器により第１のパルス信号に基づいて調光パルス信号がインバータに出力され、調光パルス信号に応答してインバータによりバックライトが駆動される。【００４１】
この場合、インバータは、調光パルス信号が所定の最小パルス幅以上のパルス幅を有する場合に動作可能である。第１のパルス信号のパルス幅が最小パルス幅以上の場合には、調光パルス発生器により第１のパルス信号が調光パルス信号としてインバータに出力される。また、第１のパルス信号のパルス幅が最小パルス幅より小さい場合には、調光パルス発生器により最小パルス幅以上のパルス幅を有する第２のパルス信号が調光パルス信号としてインバータに出力される。【００４２】
それにより、インバータに常時最小パルス幅よりも大きなパルス幅を有する調光パルス信号が与えられる。したがって、簡単な構成でインバータをシャットダウンさせることなく安定した状態で動作させることができる。【００４３】
（１１）  表示パネルは液晶表示パネルを含んでもよい。この場合、バックライトにより液晶表示パネルに背面から光が照射されつつ、液晶表示パネルにより映像信号に基づく画像が表示される。バックライトの輝度はバックライト制御装置により調整される。
【発明の効果】
【００４４】
本発明によれば、インバータに常時最小パルス幅よりも大きなパルス幅を有する調光パルス信号が与えられる。したがって、簡単な構成でインバータをシャットダウンさせることなく安定した状態で動作させることができる。
【図面の簡単な説明】
【００４５】
【図１】図１は本発明の第１の実施の形態に係るバックライト制御装置を備えた表示装置の構成を示すブロック図
【図２】図２は図１のバックライト制御装置における各部の信号のタイミング図
【図３】図３は本発明の第２の実施の形態に係るバックライト制御装置を備えた表示装置の構成を示すブロック図
【図４】図４は図３のバックライト制御装置における各部の信号のタイミング図
【図５】図５は本発明の第３の実施の形態に係るバックライト制御装置を備えた表示装置の構成を示すブロック図
【図６】図６はインバータ回路の構成の一例を示すブロック図
【図７】図７は図３のバックライト制御装置における各部の信号のタイミング図
【図８】図８は管電流検出値と設定幅パルス信号のパルス幅との関係を示す図
【図９】図９は本発明の第４の実施の形態に係るバックライト制御装置を備えた表示装置の構成を示すブロック図
【発明を実施するための最良の形態】
【００４６】
（１）第１の実施の形態
（１−１）バックライト制御装置の構成
図１は本発明の第１の実施の形態に係るバックライト制御装置を備えた表示装置の構成を示すブロック図である。【００４７】
図１において、表示装置は、液晶用制御回路１０、デューティ制御回路２０、インバータ回路３０、ＭＰＵ（マイクロプロセッシングユニット）４０、液晶パネルモジュール５０およびリモコン６０を備える。液晶用制御回路１０、デューティ制御回路２０、インバータ回路３０、ＭＰＵ４０およびリモコン６０がバックライト制御装置を構成する。【００４８】
液晶用制御回路１０は、信号処理回路１１およびＰＷＭ（パルス幅変調）発生回路１２を含み、ＬＳＩ（大規模集積回路）により構成される。【００４９】
デューティ制御回路２０は、エッジ検出回路２１、設定幅パルス発生回路２２およびＯＲゲート２３を含む。液晶パネルモジュール５０は、液晶表示パネル５１およびバックライト５２を含む。バックライト５２は、例えば冷陰極管からなり、液晶表示パネル５１の背面に配置される。【００５０】
信号処理回路１１には、映像信号ＶＤが入力される。信号処理回路１１は、映像信号ＶＤを液晶表示パネル５１に適したＲＧＢ信号ＣＳに変換するとともに、映像信号ＶＤから垂直同期信号ＶＳおよび水平同期信号（図示せず）を分離する。【００５１】
信号処理回路１１により得られたＲＧＢ信号ＣＳは液晶表示パネル５１に与えられる。それにより、ＲＧＢ信号ＣＳに基づいて液晶表示パネル５１に画像が表示される。【００５２】
また、信号処理回路１１により分離された垂直同期信号ＶＳはＰＷＭ発生回路１２に与えられる。ＰＷＭ発生回路１２は、垂直同期信号ＶＳに同期したＰＷＭ（パルス幅変調）パルス信号Ｐ１を発生する。このＰＷＭ発生回路１２は、垂直同期周波数（垂直走査周波数）の整数倍の周波数を有するＰＷＭパルス信号Ｐ１を発生することができる。【００５３】
ＭＰＵ４０には、信号処理回路１１から映像信号ＶＤが与えられる。ＭＰＵ４０は、映像信号ＶＤまたはリモコン６０からの指令に基づいてデューティ指定信号ＤＩをＰＷＭ発生回路１２に与える。デューティ指定信号ＤＩは、ＰＷＭ発生回路１２により発生されるＰＷＭパルス信号Ｐ１のデューティ比を指定する。【００５４】
エッジ検出回路２１は、ＰＷＭ発生回路１２により発生されるＰＷＭパルス信号Ｐ１の立上りに応答して、立上りエッジ信号Ｐ２を出力する。【００５５】
設定幅パルス発生回路２２は、エッジ検出回路２１から出力される立上りエッジ信号Ｐ２の立上りに応答して、設定幅パルス信号Ｐ３を発生する。設定幅パルス信号Ｐ３は、後述する所定のパルス幅を有する。【００５６】
ＯＲゲート２３は、設定幅パルス発生回路２２により発生される設定幅パルス信号Ｐ３とＰＷＭ発生回路１２により発生されるＰＷＭパルス信号Ｐ１とに関する論理和を算出する。ＯＲゲート２３の出力信号は、ＰＷＭパルス信号Ｐ４としてインバータ回路３０に与えられる。【００５７】
インバータ回路３０は、ＯＲゲート２３から与えられるＰＷＭパルス信号Ｐ４に基づいて駆動信号ＤＲをバックライト５２に与える。それにより、バックライト５２が駆動される。ＰＷＭパルス信号Ｐ４のデューティ比を制御することによりバックライト５２の輝度が調整される。【００５８】
次に、設定幅パルス発生回路２２により発生される設定幅パルス信号Ｐ３のパルス幅について説明する。インバータ回路３０は、入力されるＰＷＭパルス信号Ｐ４のパルス幅が所定値以下になった場合に強制的にシャットダウンする。それにより、インバータ回路３０から駆動信号ＤＲが出力されない。すなわち、駆動信号ＤＲの電圧レベルが０となる。【００５９】
以下、インバータ回路３０がシャットダウンしない最小のパルス幅を最小ＰＷＭパルス幅と称する。ここで、設定幅パルス発生回路２２により発生される設定幅パルス信号Ｐ３のパルス幅は、最小ＰＷＭパルス幅よりも大きくなるように設定される。設定幅パスル信号Ｐ３のパルス幅は、最小ＰＷＭパルス幅よりも所定値（マージン分）だけ大きく設定されることが好ましい。【００６０】
また、インバータ回路３０がシャットダウンしない最小のデューティ比を最小デューティ比と称する。すなわち、設定幅パルス発生回路２２により発生される設定幅パルス信号Ｐ３のデューティ比は、最小デューティ比よりも大きくなるように設定される。【００６１】
（１−２）バックライト制御装置の動作
以下、図２を参照しながら図１のバックライト制御装置の具体的な動作を説明する。図２は図１のバックライト制御装置における各部の信号のタイミング図である。【００６２】
図２（ａ）はＰＷＭパルス信号Ｐ１のパルス幅が最小ＰＷＭパルス幅よりも小さい場合におけるＰＷＭパルス信号Ｐ１、立上りエッジ信号Ｐ２、設定幅パルス信号Ｐ３およびＰＷＭパルス信号Ｐ４を示す。図２（ｂ）はＰＷＭパルス信号Ｐ１のパルス幅が最小ＰＷＭパルス幅以上の場合におけるＰＷＭパルス信号Ｐ１、立上りエッジ信号Ｐ２、設定幅パルス信号Ｐ３およびＰＷＭパルス信号Ｐ４を示す。図２の横軸は時間である。【００６３】
図１の映像信号ＶＤは、例えばコンポジット信号からなり、または輝度信号および色差信号からなる。上記のように、映像信号ＶＤは、信号処理回路１１により液晶表示パネル５１に適したＲＧＢ信号ＣＳに変換される。この場合、信号処理回路１１は、映像信号ＶＤに例えばスケーリング処理を行う。スケーリング処理では、映像信号ＶＤの表示領域の画素数が液晶表示パネル５１の解像度に適合するように変換される。また、液晶表示パネル５１の特性を補正することにより映像信号ＶＤによる画質をユーザの好みに合うように変換するために、映像信号ＶＤに輪郭補正、ガンマ補正、ホワイトバランス調整等が行われる。【００６４】
また、垂直同期信号ＶＳに同期してＰＷＭ発生回路１２によりＰＷＭパルス信号Ｐ１が発生される。【００６５】
図２に示すように、ＰＷＭパルス信号Ｐ１の立上りに応答して、エッジ検出回路２１により立上りエッジ信号Ｐ２が出力される。立上りエッジ信号Ｐ２はＰＷＭパルス信号Ｐ１の立上りに同期して立ち上がる一定幅のパルスを有する。【００６６】
また、立上りエッジ信号Ｐ２の立上りに応答して、設定幅パルス発生回路２２により設定幅パルス信号Ｐ３が発生される。設定幅パルス信号Ｐ３は、上記のように設定された幅のパルスを有する。【００６７】
また、ＯＲゲート２３によりＰＷＭパルス信号Ｐ１と分周パルス信号Ｐ２との論理和が算出される。【００６８】
それにより、図２（ａ）に示すように、ＰＷＭパルス信号Ｐ１のパルス幅が最小ＰＷＭパルス幅よりも小さい場合には設定幅パルス信号Ｐ３がＰＷＭパルス信号Ｐ４としてＯＲゲート２３から出力される。すなわち、ＰＷＭパルス信号Ｐ１のデューティ比が最小デューティ比よりも小さい場合には設定幅パルス信号Ｐ３がＰＷＭパルス信号Ｐ４としてＯＲゲート２３から出力される。【００６９】
また、図２（ｂ）に示すように、ＰＷＭパルス信号Ｐ１のパルス幅が最小ＰＷＭパルス幅以上の場合にはＰＷＭパルス信号Ｐ１がＰＷＭパルス信号Ｐ４としてＯＲゲート２３から出力される。すなわち、ＰＷＭパルス信号Ｐ１のデューティ比が最小デューティ比以上の場合には設定幅パルス信号Ｐ３がＰＷＭパルス信号Ｐ４としてＯＲゲート２３から出力される。【００７０】
（１−３）第１の実施の形態の効果
本実施の形態では、インバータ回路３０に常に最小ＰＷＭパルス幅よりも大きなパルス幅および最小デューティ比よりも大きなデューティ比を有するＰＷＭパルス信号Ｐ４が与えられる。【００７１】
したがって、電源投入時または入力映像信号の切り替え時等の遷移状態においても、インバータ回路３０に与えられるＰＷＭパルス信号Ｐ４のパルス幅は最小ＰＷＭパルス幅よりも小さくなることがない。その結果、簡単な構成でインバータ回路３０をシャットダウンさせることなく安定した状態で動作させることができる。【００７２】
（２）第２の実施の形態
（２−１）バックライト制御装置の構成
図３は本発明の第２の実施の形態に係るバックライト制御装置を備えた表示装置の構成を示すブロック図である。【００７３】
図３のバックライト制御装置が図１のバックライト制御装置と異なるのは、デューティ制御回路２０がＯＲゲート２４および拡大パルス発生回路２５をさらに含む点である。【００７４】
リモコン６０の操作によりバックライト制御装置の電源が投入される。ＭＰＵ４０は、バックライト制御装置の電源投入時に拡大パルス発生回路２５に電源投入時制御信号ＣＰを与えるとともに、設定幅パルス発生回路２２にパルス幅設定信号ＰＳを与えることにより設定幅パルス信号Ｐ３のパルス幅を設定する。拡大パルス発生回路２５は、ＭＰＵ４０から与えられた電源投入時制御信号ＣＰに応答して、デューティ比１００％の拡大パルス信号Ｐ５を一定期間発生する。【００７５】
ＯＲゲート２４は、ＯＲゲート２３から出力されるＰＷＭパルス信号Ｐ４と拡大パルス発生回路２５により発生される拡大パルス信号Ｐ５とに関する論理和を算出する。ＯＲゲート２４の出力信号は、ＰＷＭパルス信号Ｐ４ａとしてインバータ回路３０に与えられる。【００７６】
図３のバックライト制御装置の他の部分の構成は、図１のバックライト制御装置の対応する部分の構成と同様である。【００７７】
（２−２）バックライト制御装置の動作
図４は図３のバックライト制御装置における各部の信号のタイミング図である。図４には、電源投入時および電源投入後のＰＷＭパルス信号Ｐ１、立上りエッジ信号Ｐ２、設定幅パルス信号Ｐ３、ＰＷＭパルス信号Ｐ４、電源投入時制御信号ＣＰ、拡大パルス信号Ｐ５およびＰＷＭパルス信号Ｐ４ａが示される。図４の横軸は時間である。【００７８】
図４において、ＰＷＭパルス信号Ｐ１、立上りエッジ信号Ｐ２、設定幅パルス信号Ｐ３およびＰＷＭパルス信号Ｐ４は、図２のそれぞれ対応する信号と同様である。【００７９】
リモコン６０の操作によりバックライト制御装置の電源が投入されると、電源投入時制御信号ＣＰにパルスが発生する。電源投入時制御信号ＣＰのパルスに応答して、拡大パルス信号Ｐ５がＰＷＭパルス信号Ｐ１の１周期よりも長い期間ハイレベルに立ち上がる。拡大パルス信号Ｐ５のハイレベルの期間は、ＭＰＵ４０が設定幅パルス信号Ｐ３のパルス幅を設定するために要する時間よりも長い時間に設定される。【００８０】
拡大パルス信号Ｐ５がハイレベルの期間には、ＯＲゲート２４からはハイレベルのＰＷＭパルス信号Ｐ４ａが出力される。拡大パルス信号Ｐ５がローレベルの期間には、ＯＲゲート２４からはＰＷＭパルス信号Ｐ４がＰＷＭパルス信号Ｐ４ａとして出力される。【００８１】
（２−３）第２の実施の形態の効果
電源投入時にはＭＰＵ４０は種々の処理を行うため、設定幅パルス信号Ｐ３のパルス幅を設定するために時間を要する。このような場合であっても、本実施の形態では、電源投入から一定期間の間は、ＰＷＭパルス信号Ｐ４ａのデューティ比が強制的に１００％に設定される。【００８２】
したがって、インバータ回路３０に与えられるＰＷＭパルス信号Ｐ４ａのパルス幅は最小ＰＷＭパルス幅よりも小さくなることがない。その結果、簡単な構成でインバータ回路３０をシャットダウンさせることなく安定した状態で動作させることができる。【００８３】
（３）第３の実施の形態
（３−１）バックライト制御装置の構成
図５は本発明の第３の実施の形態に係るバックライト制御装置を備えた表示装置の構成を示すブロック図である。【００８４】
図５のバックライト制御装置が図１のバックライト制御装置と異なるのは、次の点である。インバータ回路３０は、後述する管電流検出値ＴＣを出力する。ＭＰＵ４０は、インバータ回路３０から出力される管電流検出値ＴＣに基づいて設定幅パルス発生回路２２にパルス幅設定信号ＰＳを与える。【００８５】
図６はインバータ回路３０の構成の一例を示すブロック図である。インバータ回路３０は、電圧制御発振回路３１、駆動回路３２、圧電トランス３３、発振周波数制御回路３４および冷陰極管電流検出回路３５を含む。バックライト５２は、複数の冷陰極管５２ａを含むが、図６には１つの冷陰極管５２ａのみが示される。【００８６】
発振周波数制御回路３４は、ＰＷＭパルス信号Ｐ４および後述する冷陰極管電流検出回路３５から出力される管電流検出値ＴＣに基づいて電圧制御発振回路３１の発振周波数を制御する。電圧制御発振回路３１は、制御された発振周波数を有する発振信号を出力する。駆動回路３２は、電圧制御発振回路３１から出力される発振信号に対応する駆動電圧を圧電トランス３３の一次側端子に与える。圧電トランス３３の二次側端子の出力電圧は、駆動信号ＤＲとしてバックライト５２の冷陰極管５２ａに印加される。【００８７】
冷陰極管電流検出回路３５は、バックライト５２の冷陰極管５２ａに流れる電流（管電流）を検出し、管電流の値を示す管電流検出値ＴＣを出力する。【００８８】
電圧制御発振回路３１の発振周波数が圧電トランス３３の共振周波数に近づくようにフィードバック制御されることにより、圧電トランス３３の昇圧比が上昇し、冷陰極管５２ａが放電を開始する。その結果、冷陰極管５２ａの管電流が急激に増加する。このようにして、電圧制御発振回路３１の発振周波数が圧電トランス３３の共振周波数に制御され、冷陰極管５２ａの発光が安定する。【００８９】
このインバータ回路３０では、発振周波数制御回路３４は、ＰＷＭパルス信号Ｐ４のオン期間（例えばハイレベルの期間）に電圧制御発振回路３１を動作させ、ＰＷＭパルス信号Ｐ４のオフ期間（例えばローレベルの期間）に電圧制御発振回路３１を停止させる。それにより、冷陰極管５２ａの発光がオンおよびオフされる。したがって、ＰＷＭパルス信号Ｐ４のデューティ比に応じてバックライト５２の輝度が変化する。【００９０】
本実施の形態におけるインバータ回路３０では、管電流検出値ＴＣに応じて最小ＰＷＭパルス幅が変化する。具体的には、管電流検出値ＴＣが減少すると、最小ＰＷＭパルス幅が小さくなり、管電流検出値ＴＣが増加すると、最小ＰＷＭパルス幅が大きくなる。【００９１】
（３−２）バックライト制御装置の動作
図７は図５のバックライト制御装置における各部の信号のタイミング図である。図７には、ＰＷＭパルス信号Ｐ１、立上りエッジ信号Ｐ２、管電流検出値ＴＣ、設定幅パルス信号Ｐ３およびＰＷＭパルス信号Ｐ４が示される。図７の横軸は時間である。【００９２】
図７において、ＰＷＭパルス信号Ｐ１、立上りエッジ信号Ｐ２、設定幅パルス信号Ｐ３およびＰＷＭパルス信号Ｐ４は、図２のそれぞれ対応する信号と同様である。ただし、設定幅パルス信号Ｐ３のパルス幅は、ＭＰＵ４０から与えられるパルス幅設定信号ＰＳに基づいて変化する。【００９３】
ＭＰＵ４０は、インバータ回路３０から出力される管電流検出値ＴＣに応じて最小ＰＷＭパルス幅を算出し、設定幅パルス信号Ｐ３のパルス幅を最小ＰＷＭパルス幅に設定する。【００９４】
図８は管電流検出値ＴＣと設定幅パルス信号Ｐ３のパルス幅との関係を示す図である。【００９５】
図８に示すように、ＭＰＵ４０は、インバータ回路３０から出力される管電流検出値ＴＣが減少すると、設定幅パルス信号Ｐ３のパルス幅が大きくなるように設定幅パルス発生回路２２を制御する。逆に、ＭＰＵ４０は、インバータ回路３０から出力される管電流検出値ＴＣが増加すると、設定幅パルス信号Ｐ３のパルス幅が小さくなるように設定幅パルス発生回路２２を制御する。【００９６】
それにより、インバータ回路３０から出力される管電流検出値ＴＣに応じてＰＷＭパルス信号Ｐ４のパルス幅およびデューティ比が制御される。【００９７】
（３−３）第３の実施の形態の効果
本実施の形態では、インバータ回路３０の最小ＰＷＭパルス幅がインバータ回路３０から出力される管電流検出値ＴＣにより変化する場合であっても、インバータ回路３０に常に最小ＰＷＭパルス幅よりも大きな最適なパルス幅および最小デューティ比よりも大きな最適なデューティ比を有するＰＷＭパルス信号Ｐ４が与えられる。【００９８】
したがって、簡単な構成でインバータ回路３０をシャットダウンさせることなく安定した状態で動作させることができる。【００９９】
（４）第４の実施の形態
（４−１）バックライト制御装置の構成および動作
図９は本発明の第４の実施の形態に係るバックライト制御装置を備えた表示装置の構成を示すブロック図である。【０１００】
図９のバックライト制御装置が図１のバックライト制御装置と異なるのは、ＭＰＵ４０、電圧検出回路４２およびメモリ４３をさらに備える点である。【０１０１】
電圧検出回路４２は、インバータ回路３０における電圧を検出し、検出された電圧が所定のしきい値よりも低下したか否かを示す検出信号ＤＥＴを出力する。例えば、検出された電圧がしきい値よりも低下すると検出信号ＤＥＴがローレベルになる。電圧検出回路４２により検出される電圧は、図６のインバータ回路３０の駆動回路３２から出力される電圧であってもよく、圧電トランス３３の出力電圧であってもよい。【０１０２】
メモリ４３には、最適な最小ＰＷＭパルス幅が記憶される。設定幅パルス発生回路２２の設定幅パルス信号Ｐ３は、メモリ４３に記憶された最小ＰＷＭパルス幅に一致するように制御される。【０１０３】
ＭＰＵ４０は、電圧検出回路４２から出力される検出信号ＤＥＴに基づいてメモリ４３に記憶される最小ＰＷＭパルス幅を最適な値に更新する。【０１０４】
（４−２）バックライト制御装置の動作
インバータ回路３０は、ＰＷＭパルス信号Ｐ４のパルス幅が最小ＰＷＭパルス幅よりも小さくなると、自動的にシャットダウンする。それにより、インバータ回路３０の各部の電圧が０に低下する。ここで、インバータ回路３０の最小ＰＷＭパルス幅にはばらつき（個体差）がある。【０１０５】
工場での調整時に、ＭＰＵ４０は、まず、デューティ比１００％に相当するパルス幅を最小ＰＷＭパルス幅の初期値としてメモリ４３に記憶させる。それにより、設定幅パルス発生回路２２により発生される設定幅パルス信号Ｐ３のデューティ比は１００％となる。【０１０６】
そして、ＭＰＵ４０は、メモリ４３に記憶される最小ＰＷＭパルス幅を徐々に減少させ、電圧検出回路４２から与えられる検出信号ＤＥＴが電圧の低下を示したときの最小ＰＷＭパルス幅をメモリ４３に保持させる。なお、周囲の温度等の環境条件のばらつきを考慮してメモリ４３に保持させる最小ＰＷＭパルス幅にマージンを付加することが好ましい。【０１０７】
以後、ユーザの使用時には、設定幅パルス発生回路２２により発生される設定幅パルス信号Ｐ３のパルス幅は、メモリ４３に保持された最小ＰＷＭパルス幅に設定される。【０１０８】
（４−３）第４の実施の形態の効果
本実施の形態では、インバータ回路３０の最小ＰＷＭパルス幅にばらつき（個体差）がある場合でも、インバータ回路３０ごとに最小ＰＷＭパルス幅よりも大きくかつ最小限のパルス幅および最小デューティ比よりも大きくかつ最小限のデューティ比を有するＰＷＭパルス信号Ｐ４が与えられる。それにより、インバータ回路３０の特性のばらつき（個体差）に左右されず、より輝度の可変範囲を広くすることができる。したがって、簡単な構成でインバータ回路３０をシャットダウンさせることなく安定した状態で動作させることができるとともに、バックライト５２の輝度を広い範囲で調整することができる。【０１０９】
（５）請求項の各構成要素と実施の形態の各部との対応
以下、請求項の各構成要素と実施の形態の各要素との対応の例について説明するが、本発明は下記の例に限定されない。【０１１０】
上記実施の形態では、インバータ回路３０がインバータの例であり、ＰＷＭ発生回路１２が第１のパルス発生器の例であり、デューティ制御回路２０が調光パルス発生器の例であり、設定幅パルス発生回路２２が第２のパルス発生器の例である。【０１１１】
また、ＯＲゲート２３が論理回路または第１の論理回路の例であり、エッジ検出回路２１がエッジ検出器の例であり、ＭＰＵ４０が制御部の例であり、拡大パルス発生回路２５が第３のパルス発生器の例であり、ＯＲゲート２４が第２の論理回路の例であり、メモリ４３が記憶部の例であり、電圧検出回路４２が電圧検出器の例である。【０１１２】
さらに、ＰＷＭパルス信号Ｐ４,Ｐ４ａが調光パルス信号の例であり、ＰＷＭパルス信号Ｐ１が第１のパルス信号の例であり、最小ＰＷＭパルス幅が最小パルス幅の例であり、拡大パルス信号Ｐ５が拡大パルス信号の例である。【０１１３】
請求項の各構成要素として、請求項に記載されている構成または機能を有する他の種々の要素を用いることもできる。【０１１４】
（６）他の実施の形態
上記実施の形態では、第１の論理回路としてＯＲゲート２３が用いられ、第２の論理回路としてＯＲゲート２４が用いられているが、これらに限定されず、例えば、第１の論理回路としてＮＯＲゲートが用いられてもよく、第２の論理素子としてＮＯＲゲートが用いられてもよい。【０１１５】
また、液晶用制御回路１０の一部または全てをＣＰＵ（中央演算処理装置）およびプログラムにより実現してもよい。【０１１６】
さらに、デューティ制御回路２０の一部または全てをＣＰＵおよびプログラムにより実現してもよい。
【産業上の利用可能性】
【０１１７】
本発明に係るバックライト制御装置は、液晶テレビ、液晶ディスプレイ装置等表示装置におけるバックライトの調光、特にバースト調光の制御に有用である。
【図１】
2007125804.tif 000003
【図２】
2007125804.tif 000004
【図３】
2007125804.tif 000005
【図４】
2007125804.tif 000006
【図５】
2007125804.tif 000007
【図６】
2007125804.tif 000008
【図７】
2007125804.tif 000009
【図８】
2007125804.tif 000010
【図９】
2007125804.tif 000011
【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
バックライトの輝度を制御するバックライト制御装置であって、
調光パルス信号に応答して前記バックライトを駆動するインバータと、
前記バックライトの輝度を制御するために可変のデューティ比を有する第１のパルス信号を発生する第１のパルス発生器と、
前記第１のパルス発生器により発生される第１のパルス信号に基づいて前記調光パルス信号を前記インバータに出力する調光パルス発生器とを備え、
前記インバータは、前記調光パルス信号が所定の最小パルス幅以上のパルス幅を有する場合に動作可能であり、
前記調光パルス発生器は、前記第１のパルス発生器により発生される第１のパルス信号のパルス幅が前記最小パルス幅以上の場合に前記第１のパルス発生器により発生される第１のパルス信号を前記調光パルス信号として前記インバータに出力し、前記第１のパルス発生器により発生される第１のパルス信号のパルス幅が前記最小パルス幅より小さい場合に前記最小パルス幅以上のパルス幅を有する第２のパルス信号を前記調光パルス信号として前記インバータに出力する、バックライト制御装置。
【請求項２】
前記調光パルス発生器は、
前記第１のパルス発生器により発生される第１のパルス信号に応答して前記第２のパルス信号を発生する第２のパルス発生器と、
前記第１のパルス発生器により発生される第１のパルス信号のパルス幅が前記最小パルス幅以上の場合に前記第１のパルス発生器により発生される第１のパルス信号を前記調光パルス信号として前記インバータに出力し、前記第１のパルス発生器により発生される第１のパルス信号のパルス幅が前記最小パルス幅より小さい場合に前記第２のパルス発生器により発生される第２のパルス信号を前記調光パルス信号として前記インバータに出力する論理回路とを含む、請求項１記載のバックライト制御装置。
【請求項３】
前記第２のパルス発生器は、
前記第１のパルス発生器により発生される第１のパルス信号のエッジを検出するエッジ検出器をさらに含み、
前記第２のパルス発生器は、前記エッジ検出器による検出に応答して前記第２のパルス信号を発生する、請求項２記載のバックライト制御装置。
【請求項４】
前記調光パルス発生器は、電源投入時から所定期間内において１００％のデューティ比を有する信号を前記調光パルス信号として前記インバータに出力する、請求項１記載のバックライト制御装置。
【請求項５】
前記インバータへの電力供給のオンオフを制御する制御部をさらに備え、
前記調光パルス発生器は、
前記第１のパルス発生器により発生される第１のパルス信号に応答して前記最小パルス幅以上のパルス幅を有する第２のパルス信号を発生する第２のパルス発生器と、
前記第１のパルス発生器により発生される第１のパルス信号のパルス幅が前記最小パルス幅以上の場合に前記第１のパルス発生器により発生される第１のパルス信号を出力し、前記第１のパルス発生器により発生される第１のパルス信号のパルス幅が前記最小パルス幅より小さい場合に前記第２のパルス発生器により発生される第２のパルス信号を出力する第１の論理回路と、
前記制御部による電力供給のオン時から所定期間内において１００％のデューティ比を有する拡大パルス信号を発生する第３のパルス発生器と、
前記所定期間内において前記第３のパルス発生器により発生される拡大パルス信号を前記調光パルス信号として前記インバータに出力し、前記所定期間の経過後に前記第１の論理回路の出力信号を前記調光パルス信号として前記インバータに出力する第２の論理回路とを含む、請求項４記載のバックライト制御装置。
【請求項６】
前記バックライトは冷陰極管を含み、
前記バックライトの前記冷陰極管の電流に基づいて前記調光パルス発生器により発生される前記第２のパルス信号のパルス幅を制御する制御部をさらに備える、請求項１記載のバックライト制御装置。
【請求項７】
前記調光パルス発生器は、
前記第１のパルス発生器により発生される第１のパルス信号に応答して前記第２のパルス信号を発生する第２のパルス発生器と、
前記第１のパルス発生器により発生される第１のパルス信号のパルス幅が前記最小パルス幅以上の場合に前記第１のパルス発生器により発生される第１のパルス信号を前記調光パルス信号として前記インバータに出力し、前記第１のパルス発生器により発生される第１のパルス信号のパルス幅が前記最小パルス幅より小さい場合に前記第２のパルス発生器により発生される第２のパルス信号を前記調光パルス信号として前記インバータに出力する論理回路とを含み、
前記制御部は、前記バックライトの前記冷陰極管の電流に基づいて前記第２のパルス発生器により発生される前記第２のパルス信号のパルス幅を制御する、請求項６記載のバックライト制御装置。
【請求項８】
最小パルス幅を記憶する記憶部と、
前記調光パルス発生器により発生される調光パルス信号のデューティ比を漸次減少させ、前記インバータがシャットダウンするときのデューティ比よりも所定値大きいデューティ比に対応するパルス幅を前記最小パルス幅として前記記憶部に記憶させる制御部とをさらに備え、
前記調光パルス発生器は、前記第１のパルス発生器により発生される第１のパルス信号のパルス幅が前記最小パルス幅より小さい場合に前記記憶部に記憶された最小パルス幅を有する前記第２のパルス信号を前記調光パルス信号として出力する、請求項１記載のバックライト制御装置。
【請求項９】
前記インバータにおける電圧を検出する電圧検出器をさらに備え、
前記制御部は、前記電圧検出器により電圧の低下が検出されたときのデューティ比よりも所定値大きいデューティ比に対応するパルス幅を前記最小パルス幅として前記記憶部に記憶させ、
前記調光パルス発生器は、
前記第１のパルス発生器により発生される第１のパルス信号に応答して前記記憶部に記憶される最小パルス幅を有する前記第２のパルス信号を発生する第２のパルス発生器と、
前記第１のパルス発生器により発生される第１のパルス信号のパルス幅が前記最小パルス幅以上の場合に前記第１のパルス発生器により発生される第１のパルス信号を前記調光パルス信号として前記インバータに出力し、前記第１のパルス発生器により発生される第１のパルス信号のパルス幅が前記最小パルス幅より小さい場合に前記第２のパルス発生器により発生される第２のパルス信号を前記調光パルス信号として前記インバータに出力する論理回路を含む、請求項８記載のバックライト制御装置。
【請求項１０】
入力された映像信号を所定の形式に変換する信号処理回路と、
前記信号処理回路により得られた映像信号を画像として表示する表示パネルと、
前記表示パネルの背面に設けられたバックライトと、
前記バックライトの輝度を制御するバックライト制御装置とを備え、
前記バックライト制御装置は、
調光パルス信号に応答して前記バックライトを駆動するインバータと、
前記バックライトの輝度を制御するために可変のデューティ比を有する第１のパルス信号を発生する第１のパルス発生器と、
前記第１のパルス発生器により発生される第１のパルス信号に基づいて前記調光パルス信号を前記インバータに出力する調光パルス発生器とを備え、
前記インバータは、前記調光パルス信号が所定の最小パルス幅以上のパルス幅を有する場合に動作可能であり、
前記調光パルス発生器は、前記第１のパルス発生器により発生される第１のパルス信号のパルス幅が前記最小パルス幅以上の場合に前記第１のパルス発生器により発生される第１のパルス信号を前記調光パルス信号として前記インバータに出力し、前記第１のパルス発生器により発生される第１のパルス信号のパルス幅が前記最小パルス幅より小さい場合に前記最小パルス幅以上のパルス幅を有する第２のパルス信号を前記調光パルス信号として前記インバータに出力する、表示装置。
【請求項１１】
前記表示パネルは液晶表示パネルを含む、請求項１０記載の表示装置。
【手続補正２】
【補正対象書類名】明細書
【補正対象項目名】全文
【補正方法】変更
【補正の内容】
【発明の詳細な説明】
【技術分野】
【０００１】
本発明は、バックライトの輝度を制御するバックライト制御装置およびそれを備えた表示装置に関する。
【背景技術】
【０００２】
一般に、液晶テレビまたは液晶ディスプレイ装置のように液晶を用いた映像機器では、冷陰極管からなるバックライトの発光により画像が表示される。バックライトを制御および駆動するための駆動信号を生成するためにインバータが用いられる。
【０００３】
通常、バックライトの輝度を制御するために、インバータの入力直流電圧または入力直流電流を変化させることにより冷陰極管に流れる電流を変化させる電流または電圧調光方式と、ＰＷＭ（パルス幅変調）パルスにより発振周波数での発光および停止を制御するＰＷＭ調光（バースト調光）方式とがある。
【０００４】
電流または電圧調光方式は、インバータから発生するノイズ（可聴音）が小さく安定であるという利点を有するが、調光範囲が狭いという欠点を有する。
【０００５】
一方、ＰＷＭ調光方式は、調光範囲が広いという利点を有し、ユーザがバックライトの調整を行う機能等で用いられている（例えば、特許文献１参照）。
【特許文献１】特開平１１-１２６６９６号公報
【発明の開示】
【発明が解決しようとする課題】
【０００６】
昨今、液晶テレビおよび液晶ディスプレイ装置のように液晶表示パネルを有する表示装置においても、映像信号処理系はＬＳＩ（大規模集積回路）で構成されている。また、液晶表示パネルに画像を表示するために必要なスケーリング、輪郭補正、ガンマ補正等のシステムは１チップのＬＳＩで実現されるようになってきた。
【０００７】
このようなＬＳＩは、コストメリットを発揮するために種々の周辺回路を内蔵しており、インバータを駆動するＰＷＭパルス信号を発生するＰＷＭ発生回路も内蔵している。
【０００８】
しかしながら、１チップのＬＳＩとして構成された汎用のＰＷＭ発生回路の多くは、簡単な構成を有し、ＰＷＭパルス信号のデューティ比を制限するリミッタをハードウェアとして備えていない場合が多い。
【０００９】
一方、ＰＷＭパルス信号のデューティ比がある値以下になった場合に強制的にシャットダウンするインバータも多い。
【００１０】
通常の使用状態では、インバータがシャットダウンしない最小のパルス幅（以下、最小ＰＷＭパルス幅と称する）をＰＷＭパルス信号のパルス幅が満足するようにマイクロコンピュータ等がデューティ比を制御することも可能である。
【００１１】
しかし、例えば電源投入時または入力信号の切り替え時のようにマイクロコンピュータに負荷がかかる遷移状態では、マイクロコンピュータの制御シーケンスにマイクロコンピュータの負荷を考慮することが必要となる。そのため、マイクロコンピュータの制御により常時ＰＷＭパルス信号のパルス幅が最小ＰＷＭパルス幅以上になるようにするためには、設計条件が厳しくなる。
【００１２】
本発明の目的は、簡単な構成でインバータをシャットダウンさせることなく安定した状態で動作させることが可能なバックライト制御装置およびそれを備えた表示装置を提供することである。
【課題を解決するための手段】
【００１３】
（１）  本発明の一局面に従うバックライト制御装置は、バックライトの輝度を制御するバックライト制御装置であって、調光パルス信号に応答してバックライトを駆動するインバータと、バックライトの輝度を制御するために可変のデューティ比を有する第１のパルス信号を発生する第１のパルス発生器と、第１のパルス発生器により発生される第１のパルス信号に基づいて調光パルス信号をインバータに出力する調光パルス発生器とを備え、インバータは、調光パルス信号が所定の最小パルス幅以上のパルス幅を有する場合に動作可能であり、調光パルス発生器は、第１のパルス発生器により発生される第１のパルス信号のパルス幅が最小パルス幅以上の場合に第１のパルス発生器により発生される第１のパルス信号を調光パルス信号としてインバータに出力し、第１のパルス発生器により発生される第１のパルス信号のパルス幅が最小パルス幅より小さい場合に最小パルス幅以上のパルス幅を有する第２のパルス信号を調光パルス信号としてインバータに出力するものである。
【００１４】
そのバックライト制御装置においては、バックライトの輝度を制御するために可変のデューティ比を有する第１のパルス信号が第１のパルス発生器により発生され、調光パルス発生器により第１のパルス信号に基づいて調光パルス信号がインバータに出力され、調光パルス信号に応答してインバータによりバックライトが駆動される。
【００１５】
この場合、インバータは、調光パルス信号が所定の最小パルス幅以上のパルス幅を有する場合に動作可能である。第１のパルス信号のパルス幅が最小パルス幅以上の場合には、調光パルス発生器により第１のパルス信号が調光パルス信号としてインバータに出力される。また、第１のパルス信号のパルス幅が最小パルス幅より小さい場合には、調光パルス発生器により最小パルス幅以上のパルス幅を有する第２のパルス信号が調光パルス信号としてインバータに出力される。
【００１６】
それにより、インバータに常時最小パルス幅よりも大きなパルス幅を有する調光パルス信号が与えられる。したがって、簡単な構成でインバータをシャットダウンさせることなく安定した状態で動作させることができる。
【００１７】
（２）  調光パルス発生器は、第１のパルス発生器により発生される第１のパルス信号に応答して第２のパルス信号を発生する第２のパルス発生器と、第１のパルス発生器により発生される第１のパルス信号のパルス幅が最小パルス幅以上の場合に第１のパルス発生器により発生される第１のパルス信号を調光パルス信号としてインバータに出力し、第１のパルス発生器により発生される第１のパルス信号のパルス幅が最小パルス幅より小さい場合に第２のパルス発生器により発生される第２のパルス信号を調光パルス信号としてインバータに出力する論理回路とを含んでもよい。
【００１８】
この場合、第２のパルス発生器により第１のパルス信号に応答して第２のパルス信号が発生される。第１のパルス信号のパルス幅が最小パルス幅以上の場合には、論理回路により第１のパルス信号が調光パルス信号としてインバータに出力される。また、第１のパルス信号のパルス幅が最小パルス幅より小さい場合には、論理回路により第２のパルス信号が調光パルス信号としてインバータに出力される。
【００１９】
それにより、インバータに常時最小パルス幅よりも大きなパルス幅を有する調光パルス信号が与えられる。したがって、より簡単な構成でインバータをシャットダウンさせることなく安定した状態で動作させることができる。
【００２０】
（３）  第２のパルス発生器は、第１のパルス発生器により発生される第１のパルス信号のエッジを検出するエッジ検出器をさらに含み、第２のパルス発生器は、エッジ検出器による検出に応答して第２のパルス信号を発生してもよい。
【００２１】
この場合、エッジ検出器により第１のパルス信号のエッジが検出され、エッジの検出に応答して第２のパルス発生器により第２のパルス信号が発生される。それにより、簡単な構成で第１のパルス信号のエッジに同期する第２のパルス信号を発生することができる。
【００２２】
（４）  調光パルス発生器は、電源投入時から所定期間内において１００％のデューティ比を有する信号を調光パルス信号としてインバータに出力してもよい。
【００２３】
この場合、電源投入から所定期間内において調光パルス信号のデューティ比が強制的に１００％に設定される。したがって、インバータに出力される調光パルス信号のパルス幅は最小パルス幅よりも小さくなることがない。その結果、電源投入時にインバータのシャットダウンを確実に防止することができる。
【００２４】
（５）  インバータへの電力供給のオンオフを制御する制御部をさらに備え、調光パルス発生器は、第１のパルス発生器により発生される第１のパルス信号に応答して最小パルス幅以上のパルス幅を有する第２のパルス信号を発生する第２のパルス発生器と、第１のパルス発生器により発生される第１のパルス信号のパルス幅が最小パルス幅以上の場合に第１のパルス発生器により発生される第１のパルス信号を出力し、第１のパルス発生器により発生される第１のパルス信号のパルス幅が最小パルス幅より小さい場合に第２のパルス発生器により発生される第２のパルス信号を出力する第１の論理回路と、制御部による電力供給のオン時から所定期間内において１００％のデューティ比を有する拡大パルス信号を発生する第３のパルス発生器と、所定期間内において第３のパルス発生器により発生される拡大パルス信号を調光パルス信号としてインバータに出力し、所定期間の経過後に第１の論理回路の出力信号を調光パルス信号としてインバータに出力する第２の論理回路とを含んでもよい。
【００２５】
この場合、第２のパルス発生器により第１のパルス信号に応答して第２のパルス信号が発生される。第１のパルス信号のパルス幅が最小パルス幅以上の場合には、第１の論理回路により第１のパルス信号が出力される。また、第１のパルス信号のパルス幅が最小パルス幅より小さい場合には、第１の論理回路により第２のパルス信号が出力される。制御部による電力供給のオン時から所定期間内においては、第３のパルス発生器により１００％のデューティ比を有する拡大パルス信号が発生される。所定期間内においては、第２の論理回路により拡大パルス信号が調光パルス信号としてインバータに出力される。また、所定期間の経過後には、第２の論理回路により第１の論理回路の出力信号が調光パルス信号としてインバータに出力される。
【００２６】
それにより、電源投入から所定期間内において調光パルス信号のデューティ比が強制的に１００％に設定される。したがって、インバータに出力される調光パルス信号のパルス幅は最小パルス幅よりも小さくなることがない。その結果、簡単な構成で電源投入時にインバータのシャットダウンを確実に防止することができる。
【００２７】
（６）  バックライトは冷陰極管を含み、バックライトの冷陰極管の電流に基づいて調光パルス発生器により発生される第２のパルス信号のパルス幅を制御する制御部をさらに備えてもよい。
【００２８】
この場合、制御部によりバックライトの冷陰極管の電流に基づいて第２のパルス信号のパルス幅が制御される。それにより、インバータの最小パルス幅がバックライトの冷陰極管の電流により変化する場合であっても、インバータに常時最小パルス幅よりも大きなパルス幅を有する調光パルス信号が出力される。その結果、バックライトの輝度が変化しても、インバータをシャットダウンさせることなく安定した状態で動作させることができる。
【００２９】
（７）  調光パルス発生器は、第１のパルス発生器により発生される第１のパルス信号に応答して第２のパルス信号を発生する第２のパルス発生器と、第１のパルス発生器により発生される第１のパルス信号のパルス幅が最小パルス幅以上の場合に第１のパルス発生器により発生される第１のパルス信号を調光パルス信号としてインバータに出力し、第１のパルス発生器により発生される第１のパルス信号のパルス幅が最小パルス幅より小さい場合に第２のパルス発生器により発生される第２のパルス信号を調光パルス信号としてインバータに出力する論理回路とを含み、制御部は、バックライトの冷陰極管の電流に基づいて第２のパルス発生器により発生される第２のパルス信号のパルス幅を制御してもよい。
【００３０】
この場合、第２のパルス発生器により第１のパルス信号に応答して第２のパルス信号が発生される。第１のパルス信号のパルス幅が最小パルス幅以上の場合には、論理回路により第１のパルス信号が調光パルス信号としてインバータに出力される。また、第１のパルス信号のパルス幅が最小パルス幅より小さい場合には、論理回路により第２のパルス信号が調光パルス信号としてインバータに出力される。ここで、制御部によりバックライトの冷陰極管の電流に基づいて第２のパルス信号のパルス幅が制御される。
【００３１】
それにより、インバータの最小パルス幅がバックライトの冷陰極管の電流により変化する場合であっても、インバータに常時最小パルス幅よりも大きなパルス幅を有する調光パルス信号が出力される。その結果、バックライトの輝度が変化しても、簡単な構成でインバータをシャットダウンさせることなく安定した状態で動作させることができる。
【００３２】
（８）  最小パルス幅を記憶する記憶部と、調光パルス発生器により発生される調光パルス信号のデューティ比を漸次減少させ、インバータがシャットダウンするときのデューティ比よりも所定値大きいデューティ比に対応するパルス幅を最小パルス幅として記憶部に記憶させる制御部とをさらに備え、調光パルス発生器は、第１のパルス発生器により発生される第１のパルス信号のパルス幅が最小パルス幅より小さい場合に記憶部に記憶された最小パルス幅を有する第２のパルス信号を調光パルス信号として出力してもよい。
【００３３】
この場合、制御部により調光パルス信号のデューティ比が漸次減少され、インバータがシャットダウンするときのデューティ比よりも所定値大きいデューティ比に対応するパルス幅が最小パルス幅として記憶部に記憶される。第１のパルス信号のパルス幅が最小パルス幅より小さい場合には、記憶部に記憶された最小パルス幅を有する第２のパルス信号が調光パルス発生器により調光パルス信号として出力される。
【００３４】
このようにして、インバータの最小パルス幅にばらつき（個体差）がある場合でも、インバータごとに最小パルス幅よりも大きいという条件を満足しつつより小さいパルス幅を有する調光パルス信号がインバータに出力される。それにより、インバータの特性のばらつき（個体差）に左右されず、より輝度の可変範囲を広くすることができる。したがって、インバータをシャットダウンさせることなく安定した状態で動作させることができるとともに、バックライトの輝度を広い範囲で調整することができる。
【００３５】
（９）  バックライト制御装置は、インバータにおける電圧を検出する電圧検出器をさらに備え、制御部は、電圧検出器により電圧の低下が検出されたときのデューティ比よりも所定値大きいデューティ比に対応するパルス幅を最小パルス幅として記憶部に記憶させ、調光パルス発生器は、第１のパルス発生器により発生される第１のパルス信号に応答して記憶部に記憶される最小パルス幅を有する第２のパルス信号を発生する第２のパルス発生器と、第１のパルス発生器により発生される第１のパルス信号のパルス幅が最小パルス幅以上の場合に第１のパルス発生器により発生される第１のパルス信号を調光パルス信号としてインバータに出力し、第１のパルス発生器により発生される第１のパルス信号のパルス幅が最小パルス幅より小さい場合に第２のパルス発生器により発生される第２のパルス信号を調光パルス信号としてインバータに出力する論理回路を含んでもよい。
【００３６】
この場合、電圧検出器により電圧の低下が検出されたときのデューティ比よりも所定値大きいデューティ比に対応するパルス幅が最小パルス幅として制御部により記憶部に記憶される。第１のパルス信号に応答して記憶部に記憶される最小パルス幅を有する第２のパルス信号が第２のパルス発生器により発生される。第１のパルス信号のパルス幅が最小パルス幅以上の場合には、論理回路により第１のパルス信号が調光パルス信号としてインバータに出力される。また、第１のパルス信号のパルス幅が最小パルス幅より小さい場合には、論理回路により第２のパルス信号が調光パルス信号としてインバータに出力される。
【００３７】
このようにして、インバータの最小パルス幅にばらつき（個体差）がある場合でも、インバータごとに最小パルス幅よりも大きいという条件を満足しつつより小さいパルス幅を有する調光パルス信号がインバータに出力される。それにより、インバータの特性のばらつき（個体差）に左右されず、より輝度の可変範囲を広くすることができる。したがって、簡単な構成でインバータをシャットダウンさせることなく安定した状態で動作させることができるとともに、バックライトの輝度を広い範囲で調整することができる。
【００３８】
（１０）  本発明の他の局面に従う表示装置は、入力された映像信号を所定の形式に変換する信号処理回路と、信号処理回路により得られた映像信号を画像として表示する表示パネルと、表示パネルの背面に設けられたバックライトと、バックライトの輝度を制御するバックライト制御装置とを備え、バックライト制御装置は、調光パルス信号に応答してバックライトを駆動するインバータと、バックライトの輝度を制御するために可変のデューティ比を有する第１のパルス信号を発生する第１のパルス発生器と、第１のパルス発生器により発生される第１のパルス信号に基づいて調光パルス信号をインバータに出力する調光パルス発生器とを備え、インバータは、調光パルス信号が所定の最小パルス幅以上のパルス幅を有する場合に動作可能であり、調光パルス発生器は、第１のパルス発生器により発生される第１のパルス信号のパルス幅が最小パルス幅以上の場合に第１のパルス発生器により発生される第１のパルス信号を調光パルス信号としてインバータに出力し、第１のパルス発生器により発生される第１のパルス信号のパルス幅が最小パルス幅より小さい場合に最小パルス幅以上のパルス幅を有する第２のパルス信号を調光パルス信号としてインバータに出力するものである。
【００３９】
その表示装置においては、入力された映像信号が信号処理回路により所定の形式に変換される。バックライトにより表示パネルに背面から光が照射されつつ、表示パネルにより映像信号に基づく画像が表示される。バックライトの輝度はバックライト制御装置により調整される。
【００４０】
そのバックライト制御装置においては、バックライトの輝度を制御するために可変のデューティ比を有する第１のパルス信号が第１のパルス発生器により発生され、調光パルス発生器により第１のパルス信号に基づいて調光パルス信号がインバータに出力され、調光パルス信号に応答してインバータによりバックライトが駆動される。
【００４１】
この場合、インバータは、調光パルス信号が所定の最小パルス幅以上のパルス幅を有する場合に動作可能である。第１のパルス信号のパルス幅が最小パルス幅以上の場合には、調光パルス発生器により第１のパルス信号が調光パルス信号としてインバータに出力される。また、第１のパルス信号のパルス幅が最小パルス幅より小さい場合には、調光パルス発生器により最小パルス幅以上のパルス幅を有する第２のパルス信号が調光パルス信号としてインバータに出力される。
【００４２】
それにより、インバータに常時最小パルス幅よりも大きなパルス幅を有する調光パルス信号が与えられる。したがって、簡単な構成でインバータをシャットダウンさせることなく安定した状態で動作させることができる。
【００４３】
（１１）  表示パネルは液晶表示パネルを含んでもよい。この場合、バックライトにより液晶表示パネルに背面から光が照射されつつ、液晶表示パネルにより映像信号に基づく画像が表示される。バックライトの輝度はバックライト制御装置により調整される。
【発明の効果】
【００４４】
本発明によれば、インバータに常時最小パルス幅よりも大きなパルス幅を有する調光パルス信号が与えられる。したがって、簡単な構成でインバータをシャットダウンさせることなく安定した状態で動作させることができる。
【発明を実施するための最良の形態】
【００４５】
（１）第１の実施の形態
（１−１）バックライト制御装置の構成
図１は本発明の第１の実施の形態に係るバックライト制御装置を備えた表示装置の構成を示すブロック図である。
【００４６】
図１において、表示装置は、液晶用制御回路１０、デューティ制御回路２０、インバータ回路３０、ＭＰＵ（マイクロプロセッシングユニット）４０、液晶パネルモジュール５０およびリモコン６０を備える。液晶用制御回路１０、デューティ制御回路２０、インバータ回路３０、ＭＰＵ４０およびリモコン６０がバックライト制御装置を構成する。
【００４７】
液晶用制御回路１０は、信号処理回路１１およびＰＷＭ（パルス幅変調）発生回路１２を含み、ＬＳＩ（大規模集積回路）により構成される。
【００４８】
デューティ制御回路２０は、エッジ検出回路２１、設定幅パルス発生回路２２およびＯＲゲート２３を含む。液晶パネルモジュール５０は、液晶表示パネル５１およびバックライト５２を含む。バックライト５２は、例えば冷陰極管からなり、液晶表示パネル５１の背面に配置される。
【００４９】
信号処理回路１１には、映像信号ＶＤが入力される。信号処理回路１１は、映像信号ＶＤを液晶表示パネル５１に適したＲＧＢ信号ＣＳに変換するとともに、映像信号ＶＤから垂直同期信号ＶＳおよび水平同期信号（図示せず）を分離する。
【００５０】
信号処理回路１１により得られたＲＧＢ信号ＣＳは液晶表示パネル５１に与えられる。それにより、ＲＧＢ信号ＣＳに基づいて液晶表示パネル５１に画像が表示される。
【００５１】
また、信号処理回路１１により分離された垂直同期信号ＶＳはＰＷＭ発生回路１２に与えられる。ＰＷＭ発生回路１２は、垂直同期信号ＶＳに同期したＰＷＭ（パルス幅変調）パルス信号Ｐ１を発生する。このＰＷＭ発生回路１２は、垂直同期周波数（垂直走査周波数）の整数倍の周波数を有するＰＷＭパルス信号Ｐ１を発生することができる。
【００５２】
ＭＰＵ４０には、信号処理回路１１から映像信号ＶＤが与えられる。ＭＰＵ４０は、映像信号ＶＤまたはリモコン６０からの指令に基づいてデューティ指定信号ＤＩをＰＷＭ発生回路１２に与える。デューティ指定信号ＤＩは、ＰＷＭ発生回路１２により発生されるＰＷＭパルス信号Ｐ１のデューティ比を指定する。
【００５３】
エッジ検出回路２１は、ＰＷＭ発生回路１２により発生されるＰＷＭパルス信号Ｐ１の立上りに応答して、立上りエッジ信号Ｐ２を出力する。
【００５４】
設定幅パルス発生回路２２は、エッジ検出回路２１から出力される立上りエッジ信号Ｐ２の立上りに応答して、設定幅パルス信号Ｐ３を発生する。設定幅パルス信号Ｐ３は、後述する所定のパルス幅を有する。
【００５５】
ＯＲゲート２３は、設定幅パルス発生回路２２により発生される設定幅パルス信号Ｐ３とＰＷＭ発生回路１２により発生されるＰＷＭパルス信号Ｐ１とに関する論理和を算出する。ＯＲゲート２３の出力信号は、ＰＷＭパルス信号Ｐ４としてインバータ回路３０に与えられる。
【００５６】
インバータ回路３０は、ＯＲゲート２３から与えられるＰＷＭパルス信号Ｐ４に基づいて駆動信号ＤＲをバックライト５２に与える。それにより、バックライト５２が駆動される。ＰＷＭパルス信号Ｐ４のデューティ比を制御することによりバックライト５２の輝度が調整される。
【００５７】
次に、設定幅パルス発生回路２２により発生される設定幅パルス信号Ｐ３のパルス幅について説明する。インバータ回路３０は、入力されるＰＷＭパルス信号Ｐ４のパルス幅が所定値以下になった場合に強制的にシャットダウンする。それにより、インバータ回路３０から駆動信号ＤＲが出力されない。すなわち、駆動信号ＤＲの電圧レベルが０となる。
【００５８】
以下、インバータ回路３０がシャットダウンしない最小のパルス幅を最小ＰＷＭパルス幅と称する。ここで、設定幅パルス発生回路２２により発生される設定幅パルス信号Ｐ３のパルス幅は、最小ＰＷＭパルス幅よりも大きくなるように設定される。設定幅パスル信号Ｐ３のパルス幅は、最小ＰＷＭパルス幅よりも所定値（マージン分）だけ大きく設定されることが好ましい。
【００５９】
また、インバータ回路３０がシャットダウンしない最小のデューティ比を最小デューティ比と称する。すなわち、設定幅パルス発生回路２２により発生される設定幅パルス信号Ｐ３のデューティ比は、最小デューティ比よりも大きくなるように設定される。
【００６０】
（１−２）バックライト制御装置の動作
以下、図２を参照しながら図１のバックライト制御装置の具体的な動作を説明する。図２は図１のバックライト制御装置における各部の信号のタイミング図である。
【００６１】
図２（ａ）はＰＷＭパルス信号Ｐ１のパルス幅が最小ＰＷＭパルス幅よりも小さい場合におけるＰＷＭパルス信号Ｐ１、立上りエッジ信号Ｐ２、設定幅パルス信号Ｐ３およびＰＷＭパルス信号Ｐ４を示す。図２（ｂ）はＰＷＭパルス信号Ｐ１のパルス幅が最小ＰＷＭパルス幅以上の場合におけるＰＷＭパルス信号Ｐ１、立上りエッジ信号Ｐ２、設定幅パルス信号Ｐ３およびＰＷＭパルス信号Ｐ４を示す。図２の横軸は時間である。
【００６２】
図１の映像信号ＶＤは、例えばコンポジット信号からなり、または輝度信号および色差信号からなる。上記のように、映像信号ＶＤは、信号処理回路１１により液晶表示パネル５１に適したＲＧＢ信号ＣＳに変換される。この場合、信号処理回路１１は、映像信号ＶＤに例えばスケーリング処理を行う。スケーリング処理では、映像信号ＶＤの表示領域の画素数が液晶表示パネル５１の解像度に適合するように変換される。また、液晶表示パネル５１の特性を補正することにより映像信号ＶＤによる画質をユーザの好みに合うように変換するために、映像信号ＶＤに輪郭補正、ガンマ補正、ホワイトバランス調整等が行われる。
【００６３】
また、垂直同期信号ＶＳに同期してＰＷＭ発生回路１２によりＰＷＭパルス信号Ｐ１が発生される。
【００６４】
図２に示すように、ＰＷＭパルス信号Ｐ１の立上りに応答して、エッジ検出回路２１により立上りエッジ信号Ｐ２が出力される。立上りエッジ信号Ｐ２はＰＷＭパルス信号Ｐ１の立上りに同期して立ち上がる一定幅のパルスを有する。
【００６５】
また、立上りエッジ信号Ｐ２の立上りに応答して、設定幅パルス発生回路２２により設定幅パルス信号Ｐ３が発生される。設定幅パルス信号Ｐ３は、上記のように設定された幅のパルスを有する。
【００６６】
また、ＯＲゲート２３によりＰＷＭパルス信号Ｐ１と分周パルス信号Ｐ２との論理和が算出される。
【００６７】
それにより、図２（ａ）に示すように、ＰＷＭパルス信号Ｐ１のパルス幅が最小ＰＷＭパルス幅よりも小さい場合には設定幅パルス信号Ｐ３がＰＷＭパルス信号Ｐ４としてＯＲゲート２３から出力される。すなわち、ＰＷＭパルス信号Ｐ１のデューティ比が最小デューティ比よりも小さい場合には設定幅パルス信号Ｐ３がＰＷＭパルス信号Ｐ４としてＯＲゲート２３から出力される。
【００６８】
また、図２（ｂ）に示すように、ＰＷＭパルス信号Ｐ１のパルス幅が最小ＰＷＭパルス幅以上の場合にはＰＷＭパルス信号Ｐ１がＰＷＭパルス信号Ｐ４としてＯＲゲート２３から出力される。すなわち、ＰＷＭパルス信号Ｐ１のデューティ比が最小デューティ比以上の場合には設定幅パルス信号Ｐ３がＰＷＭパルス信号Ｐ４としてＯＲゲート２３から出力される。
【００６９】
（１−３）第１の実施の形態の効果
本実施の形態では、インバータ回路３０に常に最小ＰＷＭパルス幅よりも大きなパルス幅および最小デューティ比よりも大きなデューティ比を有するＰＷＭパルス信号Ｐ４が与えられる。
【００７０】
したがって、電源投入時または入力映像信号の切り替え時等の遷移状態においても、インバータ回路３０に与えられるＰＷＭパルス信号Ｐ４のパルス幅は最小ＰＷＭパルス幅よりも小さくなることがない。その結果、簡単な構成でインバータ回路３０をシャットダウンさせることなく安定した状態で動作させることができる。
【００７１】
（２）第２の実施の形態
（２−１）バックライト制御装置の構成
図３は本発明の第２の実施の形態に係るバックライト制御装置を備えた表示装置の構成を示すブロック図である。
【００７２】
図３のバックライト制御装置が図１のバックライト制御装置と異なるのは、デューティ制御回路２０がＯＲゲート２４および拡大パルス発生回路２５をさらに含む点である。
【００７３】
リモコン６０の操作によりバックライト制御装置の電源が投入される。ＭＰＵ４０は、バックライト制御装置の電源投入時に拡大パルス発生回路２５に電源投入時制御信号ＣＰを与えるとともに、設定幅パルス発生回路２２にパルス幅設定信号ＰＳを与えることにより設定幅パルス信号Ｐ３のパルス幅を設定する。拡大パルス発生回路２５は、ＭＰＵ４０から与えられた電源投入時制御信号ＣＰに応答して、デューティ比１００％の拡大パルス信号Ｐ５を一定期間発生する。
【００７４】
ＯＲゲート２４は、ＯＲゲート２３から出力されるＰＷＭパルス信号Ｐ４と拡大パルス発生回路２５により発生される拡大パルス信号Ｐ５とに関する論理和を算出する。ＯＲゲート２４の出力信号は、ＰＷＭパルス信号Ｐ４ａとしてインバータ回路３０に与えられる。
【００７５】
図３のバックライト制御装置の他の部分の構成は、図１のバックライト制御装置の対応する部分の構成と同様である。
【００７６】
（２−２）バックライト制御装置の動作
図４は図３のバックライト制御装置における各部の信号のタイミング図である。図４には、電源投入時および電源投入後のＰＷＭパルス信号Ｐ１、立上りエッジ信号Ｐ２、設定幅パルス信号Ｐ３、ＰＷＭパルス信号Ｐ４、電源投入時制御信号ＣＰ、拡大パルス信号Ｐ５およびＰＷＭパルス信号Ｐ４ａが示される。図４の横軸は時間である。
【００７７】
図４において、ＰＷＭパルス信号Ｐ１、立上りエッジ信号Ｐ２、設定幅パルス信号Ｐ３およびＰＷＭパルス信号Ｐ４は、図２のそれぞれ対応する信号と同様である。
【００７８】
リモコン６０の操作によりバックライト制御装置の電源が投入されると、電源投入時制御信号ＣＰにパルスが発生する。電源投入時制御信号ＣＰのパルスに応答して、拡大パルス信号Ｐ５がＰＷＭパルス信号Ｐ１の１周期よりも長い期間ハイレベルに立ち上がる。拡大パルス信号Ｐ５のハイレベルの期間は、ＭＰＵ４０が設定幅パルス信号Ｐ３のパルス幅を設定するために要する時間よりも長い時間に設定される。
【００７９】
拡大パルス信号Ｐ５がハイレベルの期間には、ＯＲゲート２４からはハイレベルのＰＷＭパルス信号Ｐ４ａが出力される。拡大パルス信号Ｐ５がローレベルの期間には、ＯＲゲート２４からはＰＷＭパルス信号Ｐ４がＰＷＭパルス信号Ｐ４ａとして出力される。
【００８０】
（２−３）第２の実施の形態の効果
電源投入時にはＭＰＵ４０は種々の処理を行うため、設定幅パルス信号Ｐ３のパルス幅を設定するために時間を要する。このような場合であっても、本実施の形態では、電源投入から一定期間の間は、ＰＷＭパルス信号Ｐ４ａのデューティ比が強制的に１００％に設定される。
【００８１】
したがって、インバータ回路３０に与えられるＰＷＭパルス信号Ｐ４ａのパルス幅は最小ＰＷＭパルス幅よりも小さくなることがない。その結果、簡単な構成でインバータ回路３０をシャットダウンさせることなく安定した状態で動作させることができる。
【００８２】
（３）第３の実施の形態
（３−１）バックライト制御装置の構成
図５は本発明の第３の実施の形態に係るバックライト制御装置を備えた表示装置の構成を示すブロック図である。
【００８３】
図５のバックライト制御装置が図１のバックライト制御装置と異なるのは、次の点である。インバータ回路３０は、後述する管電流検出値ＴＣを出力する。ＭＰＵ４０は、インバータ回路３０から出力される管電流検出値ＴＣに基づいて設定幅パルス発生回路２２にパルス幅設定信号ＰＳを与える。
【００８４】
図６はインバータ回路３０の構成の一例を示すブロック図である。インバータ回路３０は、電圧制御発振回路３１、駆動回路３２、圧電トランス３３、発振周波数制御回路３４および冷陰極管電流検出回路３５を含む。バックライト５２は、複数の冷陰極管５２ａを含むが、図６には１つの冷陰極管５２ａのみが示される。
【００８５】
発振周波数制御回路３４は、ＰＷＭパルス信号Ｐ４および後述する冷陰極管電流検出回路３５から出力される管電流検出値ＴＣに基づいて電圧制御発振回路３１の発振周波数を制御する。電圧制御発振回路３１は、制御された発振周波数を有する発振信号を出力する。駆動回路３２は、電圧制御発振回路３１から出力される発振信号に対応する駆動電圧を圧電トランス３３の一次側端子に与える。圧電トランス３３の二次側端子の出力電圧は、駆動信号ＤＲとしてバックライト５２の冷陰極管５２ａに印加される。
【００８６】
冷陰極管電流検出回路３５は、バックライト５２の冷陰極管５２ａに流れる電流（管電流）を検出し、管電流の値を示す管電流検出値ＴＣを出力する。
【００８７】
電圧制御発振回路３１の発振周波数が圧電トランス３３の共振周波数に近づくようにフィードバック制御されることにより、圧電トランス３３の昇圧比が上昇し、冷陰極管５２ａが放電を開始する。その結果、冷陰極管５２ａの管電流が急激に増加する。このようにして、電圧制御発振回路３１の発振周波数が圧電トランス３３の共振周波数に制御され、冷陰極管５２ａの発光が安定する。
【００８８】
このインバータ回路３０では、発振周波数制御回路３４は、ＰＷＭパルス信号Ｐ４のオン期間（例えばハイレベルの期間）に電圧制御発振回路３１を動作させ、ＰＷＭパルス信号Ｐ４のオフ期間（例えばローレベルの期間）に電圧制御発振回路３１を停止させる。それにより、冷陰極管５２ａの発光がオンおよびオフされる。したがって、ＰＷＭパルス信号Ｐ４のデューティ比に応じてバックライト５２の輝度が変化する。
【００８９】
本実施の形態におけるインバータ回路３０では、管電流検出値ＴＣに応じて最小ＰＷＭパルス幅が変化する。具体的には、管電流検出値ＴＣが減少すると、最小ＰＷＭパルス幅が小さくなり、管電流検出値ＴＣが増加すると、最小ＰＷＭパルス幅が大きくなる。
【００９０】
（３−２）バックライト制御装置の動作
図７は図５のバックライト制御装置における各部の信号のタイミング図である。図７には、ＰＷＭパルス信号Ｐ１、立上りエッジ信号Ｐ２、管電流検出値ＴＣ、設定幅パルス信号Ｐ３およびＰＷＭパルス信号Ｐ４が示される。図７の横軸は時間である。
【００９１】
図７において、ＰＷＭパルス信号Ｐ１、立上りエッジ信号Ｐ２、設定幅パルス信号Ｐ３およびＰＷＭパルス信号Ｐ４は、図２のそれぞれ対応する信号と同様である。ただし、設定幅パルス信号Ｐ３のパルス幅は、ＭＰＵ４０から与えられるパルス幅設定信号ＰＳに基づいて変化する。
【００９２】
ＭＰＵ４０は、インバータ回路３０から出力される管電流検出値ＴＣに応じて最小ＰＷＭパルス幅を算出し、設定幅パルス信号Ｐ３のパルス幅を最小ＰＷＭパルス幅に設定する。
【００９３】
図８は管電流検出値ＴＣと設定幅パルス信号Ｐ３のパルス幅との関係を示す図である。
【００９４】
図８に示すように、ＭＰＵ４０は、インバータ回路３０から出力される管電流検出値ＴＣが減少すると、設定幅パルス信号Ｐ３のパルス幅が大きくなるように設定幅パルス発生回路２２を制御する。逆に、ＭＰＵ４０は、インバータ回路３０から出力される管電流検出値ＴＣが増加すると、設定幅パルス信号Ｐ３のパルス幅が小さくなるように設定幅パルス発生回路２２を制御する。
【００９５】
それにより、インバータ回路３０から出力される管電流検出値ＴＣに応じてＰＷＭパルス信号Ｐ４のパルス幅およびデューティ比が制御される。
【００９６】
（３−３）第３の実施の形態の効果
本実施の形態では、インバータ回路３０の最小ＰＷＭパルス幅がインバータ回路３０から出力される管電流検出値ＴＣにより変化する場合であっても、インバータ回路３０に常に最小ＰＷＭパルス幅よりも大きな最適なパルス幅および最小デューティ比よりも大きな最適なデューティ比を有するＰＷＭパルス信号Ｐ４が与えられる。
【００９７】
したがって、簡単な構成でインバータ回路３０をシャットダウンさせることなく安定した状態で動作させることができる。
【００９８】
（４）第４の実施の形態
（４−１）バックライト制御装置の構成および動作
図９は本発明の第４の実施の形態に係るバックライト制御装置を備えた表示装置の構成を示すブロック図である。
【００９９】
図９のバックライト制御装置が図１のバックライト制御装置と異なるのは、ＭＰＵ４０、電圧検出回路４２およびメモリ４３をさらに備える点である。
【０１００】
電圧検出回路４２は、インバータ回路３０における電圧を検出し、検出された電圧が所定のしきい値よりも低下したか否かを示す検出信号ＤＥＴを出力する。例えば、検出された電圧がしきい値よりも低下すると検出信号ＤＥＴがローレベルになる。電圧検出回路４２により検出される電圧は、図６のインバータ回路３０の駆動回路３２から出力される電圧であってもよく、圧電トランス３３の出力電圧であってもよい。
【０１０１】
メモリ４３には、最適な最小ＰＷＭパルス幅が記憶される。設定幅パルス発生回路２２の設定幅パルス信号Ｐ３は、メモリ４３に記憶された最小ＰＷＭパルス幅に一致するように制御される。
【０１０２】
ＭＰＵ４０は、電圧検出回路４２から出力される検出信号ＤＥＴに基づいてメモリ４３に記憶される最小ＰＷＭパルス幅を最適な値に更新する。
【０１０３】
（４−２）バックライト制御装置の動作
インバータ回路３０は、ＰＷＭパルス信号Ｐ４のパルス幅が最小ＰＷＭパルス幅よりも小さくなると、自動的にシャットダウンする。それにより、インバータ回路３０の各部の電圧が０に低下する。ここで、インバータ回路３０の最小ＰＷＭパルス幅にはばらつき（個体差）がある。
【０１０４】
工場での調整時に、ＭＰＵ４０は、まず、デューティ比１００％に相当するパルス幅を最小ＰＷＭパルス幅の初期値としてメモリ４３に記憶させる。それにより、設定幅パルス発生回路２２により発生される設定幅パルス信号Ｐ３のデューティ比は１００％となる。
【０１０５】
そして、ＭＰＵ４０は、メモリ４３に記憶される最小ＰＷＭパルス幅を徐々に減少させ、電圧検出回路４２から与えられる検出信号ＤＥＴが電圧の低下を示したときの最小ＰＷＭパルス幅をメモリ４３に保持させる。なお、周囲の温度等の環境条件のばらつきを考慮してメモリ４３に保持させる最小ＰＷＭパルス幅にマージンを付加することが好ましい。
【０１０６】
以後、ユーザの使用時には、設定幅パルス発生回路２２により発生される設定幅パルス信号Ｐ３のパルス幅は、メモリ４３に保持された最小ＰＷＭパルス幅に設定される。
【０１０７】
（４−３）第４の実施の形態の効果
本実施の形態では、インバータ回路３０の最小ＰＷＭパルス幅にばらつき（個体差）がある場合でも、インバータ回路３０ごとに最小ＰＷＭパルス幅よりも大きくかつ最小限のパルス幅および最小デューティ比よりも大きくかつ最小限のデューティ比を有するＰＷＭパルス信号Ｐ４が与えられる。それにより、インバータ回路３０の特性のばらつき（個体差）に左右されず、より輝度の可変範囲を広くすることができる。したがって、簡単な構成でインバータ回路３０をシャットダウンさせることなく安定した状態で動作させることができるとともに、バックライト５２の輝度を広い範囲で調整することができる。
【０１０８】
（５）請求項の各構成要素と実施の形態の各部との対応
以下、請求項の各構成要素と実施の形態の各要素との対応の例について説明するが、本発明は下記の例に限定されない。
【０１０９】
上記実施の形態では、インバータ回路３０がインバータの例であり、ＰＷＭ発生回路１２が第１のパルス発生器の例であり、デューティ制御回路２０が調光パルス発生器の例であり、設定幅パルス発生回路２２が第２のパルス発生器の例である。
【０１１０】
また、ＯＲゲート２３が論理回路または第１の論理回路の例であり、エッジ検出回路２１がエッジ検出器の例であり、ＭＰＵ４０が制御部の例であり、拡大パルス発生回路２５が第３のパルス発生器の例であり、ＯＲゲート２４が第２の論理回路の例であり、メモリ４３が記憶部の例であり、電圧検出回路４２が電圧検出器の例である。
【０１１１】
さらに、ＰＷＭパルス信号Ｐ４,Ｐ４ａが調光パルス信号の例であり、ＰＷＭパルス信号Ｐ１が第１のパルス信号の例であり、最小ＰＷＭパルス幅が最小パルス幅の例であり、拡大パルス信号Ｐ５が拡大パルス信号の例である。
【０１１２】
請求項の各構成要素として、請求項に記載されている構成または機能を有する他の種々の要素を用いることもできる。
【０１１３】
（６）他の実施の形態
上記実施の形態では、第１の論理回路としてＯＲゲート２３が用いられ、第２の論理回路としてＯＲゲート２４が用いられているが、これらに限定されず、例えば、第１の論理回路としてＮＯＲゲートが用いられてもよく、第２の論理素子としてＮＯＲゲートが用いられてもよい。
【０１１４】
また、液晶用制御回路１０の一部または全てをＣＰＵ（中央演算処理装置）およびプログラムにより実現してもよい。
【０１１５】
さらに、デューティ制御回路２０の一部または全てをＣＰＵおよびプログラムにより実現してもよい。
【産業上の利用可能性】
【０１１６】
本発明に係るバックライト制御装置は、液晶テレビ、液晶ディスプレイ装置等表示装置におけるバックライトの調光、特にバースト調光の制御に有用である。
【図面の簡単な説明】
【０１１７】
【図１】図１は本発明の第１の実施の形態に係るバックライト制御装置を備えた表示装置の構成を示すブロック図
【図２】図２は図１のバックライト制御装置における各部の信号のタイミング図
【図３】図３は本発明の第２の実施の形態に係るバックライト制御装置を備えた表示装置の構成を示すブロック図
【図４】図４は図３のバックライト制御装置における各部の信号のタイミング図
【図５】図５は本発明の第３の実施の形態に係るバックライト制御装置を備えた表示装置の構成を示すブロック図
【図６】図６はインバータ回路の構成の一例を示すブロック図
【図７】図７は図３のバックライト制御装置における各部の信号のタイミング図
【図８】図８は管電流検出値と設定幅パルス信号のパルス幅との関係を示す図
【図９】図９は本発明の第４の実施の形態に係るバックライト制御装置を備えた表示装置の構成を示すブロック図
【手続補正３】
【補正対象書類名】図面
【補正対象項目名】全図
【補正方法】変更
【補正の内容】
【図１】
2007125804.tif 000012
【図２】
2007125804.tif 000013
【図３】
2007125804.tif 000014
【図４】
2007125804.tif 000015
【図５】
2007125804.tif 000016
【図６】
2007125804.tif 000017
【図７】
2007125804.tif 000018
【図８】
2007125804.tif 000019
【図９】
2007125804.tif 000020
【国際調査報告】
2007125804.tif 000021
2007125804.tif 000022
2007125804.tif 000023
2007125804.tif 000024